(57)【要約】【課題】ポンプを駆動するモーター（振動発生源）の振動が、ポンプを介してアンダーパネルに伝わると共に、アンダーパネルを介して戻り配管及び行き配管に伝達される事を効果的に阻止出来る給湯器を提供することを目的とする。【解決手段】浴槽内の水を戻り配管を介して熱交換機に供給すると共に、行き配管を介して前記熱交換機で温められた温水を前記浴槽内に供給するポンプがアンダーパネル側に固定保持された給湯器において、内部に流体流通路を備えると共に、その外周部が前記アンダーパネル側に保持された２本の略円筒状のゴム状弾性材製マウントであって、前記マウントの前記流体流通路の一端側には、前記ポンプ側から伸びる戻り配管と行き配管がそれぞれ固定保持され、前記流体流通路の他端側には前記アンダーパネルの外部に存在する戻り配管と行き配管がそれぞれ固定保持されていることを特徴とする。【選択図】図１
2013044437.tif 000002
【特許請求の範囲】
【請求項１】
浴槽内の水を戻り配管（１）を介して熱交換機に供給すると共に、行き配管（２）を介して前記熱交換機で温められた温水を前記浴槽内に供給するポンプ（３）がアンダーパネル（４）側に固定保持された給湯器において、
内部に流体流通路（５１）を備えると共に、その外周部（５２）が前記アンダーパネル（４）側に保持された２本の略円筒状のゴム状弾性材製マウント（５）、（５）であって、前記マウント（５）、（５）の前記流体流通路（５１）の一端側には、前記ポンプ（３）側から伸びる戻り配管（１１）と行き配管（２１）がそれぞれ固定保持され、前記流体流通路（５１）の他端側には前記アンダーパネル（４）の外部に存在する戻り配管（１２）と行き配管（２２）がそれぞれ固定保持されていることを特徴とする給湯器。
【請求項２】
前記マウント（５）、（５）の前記流体流通路（５１）の他端側にはインサート金具（６）、（６）が一体成形されており、前記インサート金具（６）、（６）に設けたネジ部（６１）に前記アンダーパネル（４）の外部に存在する戻り配管（１２）と行き配管（２２）がそれぞれ螺合していることを特徴とする請求項１記載の給湯器。
【請求項３】
前記インサート金具（６）、（６）に設けたネジ部（６１）がその外周面に設けた雄ネジであることを特徴とする請求項２記載の給湯器。
【請求項４】
前記インサート金具（６）、（６）に設けたネジ部（６１）がその内周面に設けた雌ネジであることを特徴とする請求項２記載の給湯器。
【請求項５】
前記ポンプ（３）側から伸びる戻り配管（１１）と行き配管（２１）は、前記流体流通路（５１）内に挿入されると共に、その外周部側がホースバンド（７）により前記マウント（５）、（５）と共に締め付け固定されていることを特徴とする請求項１〜４のいずれか一項に記載の給湯器。
【請求項６】
前記マウント（５）、（５）が、ブチルゴム材製であることを特徴とする請求項１〜５のいずれか一項に記載の給湯器。
【発明の詳細な説明】
【技術分野】
【０００１】
本発明は、給湯器に関する。
また、本発明は、浴槽内の水を吸い上げ、熱交換機を介して加熱した温水を浴槽に戻す機能を備えた給湯器に関する。
【背景技術】
【０００２】
従来、給湯器としては特許文献１に示す構造のものが知られている。
すなわち、給湯器の追焚き機能を使用する場合においては、浴槽内の水を、給湯器内のモーター及びポンプで戻り配管を介して吸い上げを行い、熱交換器にて水を温め、再度、ポンプを介して行き配管を介して浴槽内に温水を戻す構成となっている。
【０００３】
そして、この様な構成の給湯器は、モーターにより駆動させられるポンプがアンダーパネル（ケースのベース部材）に直接設置されると共に、戻り配管及び行き配管も、ポンプに直接取り付けられると共に、アンダーパネルに直接固定保持される態様となっている。
このため、ポンプを駆動するモーター（振動発生源）内の波数に応じた回転変動の次数成分の振動が、ポンプを介してアンダーパネルに伝わると共に、アンダーパネルを介して戻り配管及び行き配管にも伝達される。
この結果、アンダーパネルや戻り配管及び行き配管から発生される振動音が問題となっていた。
【０００４】
特に、この振動が、アンダーパネルや戻り配管及び行き配管、更には内部部品の固有振動数と一致すると、共振を起こし、それにより給湯器から発生する音がより大きくなってしまうという問題を惹起した。
また、この様な給湯器から発生する音が夜間の場合は、社会問題化する要因を含んでおり、その解決が望まれていた。
【先行技術文献】
【特許文献】
【０００５】
【特許文献１】特開２００２−８１７４４号公報
【発明の開示】
【発明が解決しようとする課題】
【０００６】
ポンプを駆動するモーター（振動発生源）の振動が、ポンプを介してアンダーパネルに伝わると共に、アンダーパネルを介して戻り配管及び行き配管に伝達される事を効果的に阻止出来る給湯器を提供することを目的とする。
【課題を解決するための手段】
【０００７】
本発明の給湯器は、浴槽内の水を戻り配管を介して熱交換機に供給すると共に、行き配管を介して前記熱交換機で温められた温水を前記浴槽内に供給するポンプがアンダーパネル側に固定保持された給湯器において、内部に流体流通路を備えると共に、その外周部が前記アンダーパネル側に保持された２本の略円筒状のゴム状弾性材製マウントであって、前記マウントの前記流体流通路の一端側には、前記ポンプ側から伸びる戻り配管と行き配管がそれぞれ固定保持され、前記流体流通路の他端側には前記アンダーパネルの外部に存在する戻り配管と行き配管がそれぞれ固定保持されていることを特徴とする。
【発明の効果】
【０００８】
本発明は、以下に記載されるような効果を奏する。
請求項１記載の発明の給湯器によれば、ポンプを駆動するモーター（振動発生源）の振動が、ポンプを介してアンダーパネルに伝わると共に、アンダーパネルを介して戻り配管及び行き配管に伝達される事を効果的に阻止出来る。
更に、請求項２記載の発明の給湯器によれば、配管の取り付け・取り外しが容易である。
【０００９】
更に、請求項３記載の発明の給湯器によれば、配管が大径の場合に適している。
更に、請求項４記載の発明の給湯器によれば、配管が小径の場合に適している。
【００１０】
更に、請求項５記載の発明の給湯器によれば、配管とマウントの締結が確実に行える。
更に、請求項６記載の発明の給湯器によれば、より効果的に振動を吸収出来る。
【図面の簡単な説明】
【００１１】
【図１】本発明に係る給湯器の第１の態様を示す縦断面図。
【図２】本発明に係る給湯器の第２の態様を示す縦断面図。
【発明を実施するための形態】
【００１２】
以下、本発明を実施するための第１の態様について説明する。
図１に示される様に、本発明に係る給湯器の第１の態様は、浴槽内（図示せず）の水を戻り配管１を介して熱交換機に供給すると共に、行き配管２を介して熱交換機で温められた温水を浴槽内に供給するポンプ３がアンダーパネル４側に固定保持された基本的構成を備えている。
そして、２本の略円筒状のゴム状弾性材製マウント５、５が、ポンプ３、アンダーパネル４及び戻り配管１と行き配管２との間に介在する構成となっている。
【００１３】
このマウント５、５は、内部に流体流通路５１を備えると共に、その外周部５２がアンダーパネル４側に保持され、マウント５、５の流体流通路５１の一端側（図上上方）には、ポンプ３側から伸びる戻り配管１１と行き配管２１がそれぞれ挿入され、その外周側に設けた環状溝部５３に装着されたステンレス材製のホースバンド７によりマウント５、５と共に締め付け固定されている。
この事により、ポンプ３は、マウント５、５を介してアンダーパネル４上に弾性的に固定保持される。
【００１４】
また、流体流通路５１の他端側（図上下方）内周面には、ステンレス材製の円筒状のインサート金具６、６が一体成形されており、このインサート金具６、６の外周面に設けたネジ部６１にアンダーパネル４の外部に存在する戻り配管１２と行き配管２２がそれぞれ螺合している。
従って、戻り配管１２と行き配管２２の端部に設けたネジ部は、その内周面に設けた雌ネジである。
【００１５】
マウント５、５の材質は、ブチルゴム、フッ素ゴム、ニトリルゴム、クロロプレン等のゴム状弾性材や、ポリエステル系エラストマー、熱可塑性ポリウレタン等の熱可塑性エラストマーから、適宜用途に合わせ選択して使用されるが、減衰効果の大きいブチルゴムが好ましい。
【００１６】
インサート金具６、６の流体流通路５１内に存在する長さは、ポンプ３側から伸びる戻り配管１１と行き配管２１と接触しない長さに設計されている。
【００１７】
この様な構成とする事により、ポンプ３、アンダーパネル４及び戻り配管１と行き配管２とが相互に直接接する事が無い為、マウント５、５の減衰効果と相俟って、ポンプ３側の振動がアンダーパネル４及び戻り配管１と行き配管２に伝達される事を効果的に阻止出来る為、ポンプ３を駆動するモーター（振動発生源）の振動が、ポンプ３を介してアンダーパネル４に伝わると共に、アンダーパネル４を介して戻り配管１及び行き配管２に伝達されることによる共振を伴う振動音の発生を効果的に阻止出来る。
【００１８】
ついで、図２に基づき、本発明を実施するための第２の態様について説明する。
第１の態様と相違する点は、流体流通路５１の他端側（図上下方）内周面に一体成形されたステンレス材製の円筒状のインサート金具６、６の形状である。
【００１９】
すなわち、インサート金具６、６は、マウント５、５の図上下端から突出する事無く、流体流通路５１内に完全に収まる形状をしており、その内周面に雌ネジ部６１が形成されており、この雌ネジ部６１に戻り配管１及び行き配管２の端部外周面に設けた雄ネジ部６１が螺合する構成となっている。
この様な構成とする事により、より小型の給湯器に適した構造とする事が出来る。
【００２０】
また、本発明は上述の発明を実施するための最良の形態に限らず本発明の要旨を逸脱することなくその他種々の構成を採り得ることはもちろんである。
【産業上の利用可能性】
【００２１】
本発明に係る給湯器は、家庭用自動給湯装置等に使用できる。
【符号の説明】
【００２２】
１    戻り配管
２    行き配管
３    ポンプ
４    アンダーパネル
５    マウント
６    インサート金具
７    ホースバンド
１１  戻り配管
１２  戻り配管
２１  行き配管
２２  行き配管
５１  流体流通路
５２  外周部
６１  ネジ部
【図１】
2013044437.tif 000003
【図２】
2013044437.tif 000004